(57)【要約】      （修正有）【課題】身体の腸内部と膣内部へ供給される洗浄用の水の不純物除去と、所定温度に保持して無害な状態で身体へ供給できるポータブル型洗浄供給ホースの洗浄用自動水筒を提供する。【解決手段】ノズル１０３を腸、または膣内部に挿入した後、ポンピングチューブ２６を一回押すと、インペラー２２に圧力が伝達され、このインペラー２２の動作がＯＦＦされるが、このとき、上記センサー２７がインペラー２２の作動ＯＦＦ状態を感知すると、信号をポンプ２３に印加させてこのポンプ２３の作動を止まらせる。それから、再び上記ポンピングチューブ２６を押すと、上記インペラー２２が作動し、これによってセンサー２７がこれを感知してポンプ２３を作動させるようになり、ろ過水筒１０のろ過フィルター９を通った浄化された水は、ドレイン通路１４と水液供給管１０１を通じて、ノズル１０２へ自動供給され、このノズル１０３を通じて水液を腸内部又は、膣内部へ供給する。【選択図】図５
0003130271.tif 000002
【実用新案登録請求の範囲】
【請求項１】
身体の大腸、又は膣の内部を洗浄できる水液供給ホース１０１で水液を供給するために、開放上部においてヒンジ軸２を媒介として開閉する蓋３を備え、中間に柄溝４と、電源スイッチ５と、温度調節スイッチ６とが設けられた温度計器盤７を備えた外部本体８と、この外部本体８の内部に挿入装着されるろ過フィルター９を備えたろ過水筒１０、及び上記ろ過フィルター９の底面に接触されてろ過水筒から供給された水を加熱するヒータ部１１と、水の温度と水位を点検する水位センサー１２と温度センサー１３などが設けられ、水液供給ホース１０１とワンタッチカップリング１７を媒介として連結されるドレイン通路１４が備えられて、この外部本体８の下部に設けられる水筒安着支持部１５を備えてなるポータブル型洗浄供給ホースの洗浄用水筒において、
上記水筒安着支持部１５のドレイン通路１４には、トレンス２１に連結されるポンプ２３が連結チューブ２４を媒介として連結されており、水液供給ホース１０１に設けられたポンピングチューブ２６の圧力によってインペラー２２のＯＮ／ＯＦＦが行われ、センサー２７が、このインペラーのＯＮ／ＯＦＦ状態を感知してポンプ２３のＯＮ／ＯＦＦを調節するようになることを特徴とするポータブル型洗浄供給ホースの洗浄用自動水筒。
【考案の詳細な説明】
【技術分野】
【０００１】
本考案は、人の大腸中にある宿便又は女性の膣内部を洗浄するポータブル型洗浄供給ホースの洗浄用専用水筒に関し、さらに詳細には、身体の腸内部と膣内部に供給される洗浄用の水の不純物除去と所定温度に保持して無害な状態で身体へ供給できるポータブル型洗浄供給ホースの洗浄用自動水筒に関する。
【背景技術】
【０００２】
既に知られたように、人の大腸は、水分を調節し、電解質を保持し且つ細菌の作用により摂取した飲食物を便にする機能を有するものの、このような機能が充分に発揮されないと、体内に有害成分や毒素が蓄積して腸が麻痺し、老血管の破裂または膨張で結局、大腸癌、大腸炎、過敏性症候群、大腸潰瘍、痔疾のような腸疾患は勿論、便秘、下痢、消化不良、細い便、下腹部ガス内腸など、各種の腸疾患疾病と細菌温床になるのが実情である。
【０００３】
従って、腸内において老廃物が停滞すると、腸が麻痺し、腸機能の障害、肌老化など、各種の疾病の根源になるため、このような原因を根本的に解決するために、腸洗浄器を用いた洗浄により腸の老廃物を除去し、各種の腸疾患疾病を予防するようになっており、このような腸洗浄器は、腸内の宿便による毒素を除去して多様な腸疾患疾病の予防と治療に卓越な効果を表しているため広く活用されている。
【０００４】
上記のような腸洗浄器の中、本出願人が韓国の実用新案登録第３３８１４６号と第３４２５７０号に提案して登録されたポータブル型洗浄器は、使用する際、負担感がなく、より簡便でかつ便利に使用できるようになっているものの、別のポータブル型洗浄器を用い、水液の供給ホースへ洗浄用の水を供給するとき、水が入った容器を用い、このような水容器を使用する場合は、美観上良くなく、かつ供給される水に不純物が混入する可能性があるため、衛生学的にも好適ではなかった。
【０００５】
また、ユーザが使用するにも負担感があるなど、問題点が多くあり、特に、障碍人や老弱者、または患者などが水容器と洗浄器を用いる際には、水容器の使用に不便感が提起された。
【考案の開示】
【考案が解決しようとする課題】
【０００６】
ここに、本考案は、上記のような従来の問題点を解決するために考案されたもので、患者又はユーザが大腸、または膣の内部を洗浄する際、用いられるポータブル型洗浄供給ホースから供給される洗浄液の不純物の除去と注入される水の温度などを適切に調節して供給することができるだけでなく、ポンプにより自動的に洗浄液を供給できるポータブル型洗浄供給ホース専用の洗浄用自動水筒を提供することにその目的がある。
【課題を解決するための手段】
【０００７】
上記のような目的を達成するための本考案は、大腸、または膣内部を洗浄できる水液供給ホースから水液を供給するために、上部に蓋を備え、柄溝と、電源スイッチと、温度調節用スイッチとが設けられた温度計器盤を備えた外部本体と、この外部本体の内部に挿入装着されるろ過フィルターを備えたろ過水筒、及び、このろ過フィルターの底面に接触されてろ過水筒から供給された水を加熱するヒータ部と、このろ過フィルターを通った水の温度と水位を点検するために、水位センサーと温度センサーが設けられ、水液供給ホースと連結されるドレイン通路が備えられて上記外部本体の下部に設けられる水筒安着支持部を備えてなるポータブル型洗浄供給ホースの洗浄用水筒において、上記水筒安着支持部のドレイン通路には、ポンプが連結チューブを媒介として連結されており、水液供給ホースに設けられたポンピンググチューブの圧力によってインペラーのＯＮ／ＯＦＦが行われ、センサーがこのインペラーのＯＮ／ＯＦＦを感知してポンプをＯＮ／ＯＦＦさせるように構成されている。
【考案の効果】
【０００８】
上記のような本考案に係るポータブル型洗浄供給ホースの洗浄用自動水筒は、供給される水をろ過及び殺菌処理しながら適切温度で腸の内部と膣の内部を洗浄することができるだけでなく、外観も洗練されてユーザの負担感がなく、小型でかつコンパクトであるため、携帯保管にも容易であり、ポータブル型洗浄供給ホースの専用水筒としてその機能を成し得る。
【０００９】
これとともに、本考案は、モータを用いて水を自動供給することにより、老弱者乃至患者の利用の際、より便利でかつ簡便に使用できる効果を有する。
【考案を実施するための最良の形態】
【００１０】
以下、本考案を添付の例示図面に基づいて詳細に説明する。
【００１１】
図１乃至図３は、本考案に係るポータブル型洗浄供給ホースの洗浄用自動水筒の外観側面図と断面図及び、ろ過水筒を除去した状態での平面図を示している。
【００１２】
本考案は、身体の大腸又は、膣内部を洗浄できる水液供給ホース１０１から水液を供給するために、開放上部においてヒンジ軸２を媒介として開閉する蓋２を備え、中間に柄溝４と、電源スイッチ５と、温度調節スイッチ６とが設けられた温度計器盤７を備えた外部本体８と、この外部本体８の内部に挿入装着されるろ過フィルター９を備えたろ過水筒１０及び、上記ろ過フィルター９の底面に接触されてろ過水筒から供給された水を加熱するヒータ部１１と、水の温度と水位を点検する水位センサー１２と温度センサー１３などが設けられ、水液供給ホース１０１とワンタッチカップリング１７を媒介として連結されるドレイン通路１４が備えられて、この外部本体８の下部に設けられる水筒安着支持部１５を備えてなるポータブル型洗浄供給ホースの洗浄用水筒において、上記水筒安着支持部１５のドレイン通路１４には、トレンス２１に連結されるポンプ２３が連結チューブ２４を媒介として連結されており、水液供給ホース１０１に設けられたポンピンググチューブ２６の圧力によってインペラー２２のＯＮ／ＯＦＦが行われ、センサー２７がこのインペラー２２のＯＮ／ＯＦＦ状態を感知してポンプ２３をＯＮ／ＯＦＦさせるようになっている。
【００１３】
ここで、ヒンジ式に開閉される透明の材質の蓋３を備えた上記外部本体８には、その内部に着脱自在のろ過水筒１０の水量を時間的に確認する、水位レベル窓１６が付着されており、上記水筒安着支持部１５に設けられたドレイン通路１４の端部には、後述する水液供給ホース１０１が連結されるワンタッチカップリング１７が設けられている。
【００１４】
そして、上記水筒安着支持部１５に設けられたヒータ１１には、加熱防止用のバイメタル１８が連結されており、上記外部本体８の内部には、ろ過水筒１０のろ過フィルター９を通じて供給される水の有害な菌を殺菌できるように、銀メッキの本体水筒１９が装着されている。
【００１５】
従って、公知の洗浄供給ホース１０１から供給される水液をろ過フィルター９において１次ろ過した後、９９．９％銀メッキの本体水筒１９において有害な菌を殺菌処理し人体に最も適合な水の温度（約３８℃）に保持させて供給できるようになっている。
【００１６】
このような水の温度調節は、温度計器盤７の温度調節スイッチ６で温度を調節することができ、電源スイッチ５は、全体電源ＯＮ／ＯＦＦスイッチである。
【００１７】
そして、水の量は、水位センサー１２と水位レベル窓１６を通じて確認することができ、水が無い場合には、この水位センサー１２がこれを感知してヒータ部１１の加熱を自動にＯＦＦさせるようになっている。
【００１８】
また、上記ヒータ部１１を備えた水筒安着支持部１５は、外部本体８の下部に設けられて不燃材素材からなっている。
【００１９】
一方、図４と図５を参考に本考案の利用状態を説明する。
【００２０】
公知の水液供給ホース１０１を、外部本体８の下部に設けられた水筒安着支持部１５のドレイン通路１４とワンタッチカップリング１７を媒介として連結させてから、電源コード２０を電源に連結させた後、電源スイッチ５をＯＮさせる。それから、ろ過水筒１０から供給される水を温度調節スイッチ６を用いて適切温度に調節しポンプ２３を可動させる。
【００２１】
続いて、ユーザが、ノズル１０３を腸、または膣内部に挿入した後、ポンピングチューブ２６を一回押すと、インペラー２２に圧力が伝達され、このインペラー２２の動作がＯＦＦされるが、このとき、上記センサー２７がインペラー２２の作動ＯＦＦ状態を感知すると、信号をポンプ２３に印加させてこのポンプ２３の作動を止まらせる。それから、再び上記ポンピングチューブ２６を押すと、上記インペラー２２が作動し、これによってセンサー２７がこれを感知してポンプ２３を作動させるようになり、ろ過水筒１０のろ過フィルター９を通った浄化された水は、ドレイン通路１４と水液供給管１０１を通じて、ノズル１０２へ自動供給され、このノズル１０３を通じて水液を腸内部又は、膣内部へ供給することができる。
【００２２】
ここで、上記水液供給ホース１０１に供給される水の流量は、公知の流量調節機１０４を用いて調節する。
【００２３】
一方、上記ノズル１０へ供給される水を遮断させるときは、ユーザは、先に説明したように、ポンピングチューブ２６を再押しすると、インペラー２２がＯＦＦされ、センサー２７がこれを感知してポンプ２３の作動をＯＦＦさせて水の供給を自動的に遮断するようになっている。
【図面の簡単な説明】
【００２４】
【図１】本考案に係る洗浄用自動水筒の蓋を開放してろ過水筒を持ち上げた状態の側面図。
【図２】図１のI-I線断面図。
【図３】図１からろ過水筒を除去した状態の平面図。
【図４】本考案の使用状態平面図とII-II線断面図である。
【図５】本考案の使用状態平面図とII-II線断面図である。
【符号の説明】
【００２５】
2 : ヒンジ軸、 3 : 蓋、 4 : 柄溝、  5 : 電源スイッチ、  6 : 温度調節スイッチ、  7 : 温度計器盤、 8 : 外部本体、 9 : ろ過フィルター、 10 : ろ過水筒、  11 : ヒータ部、 12 : 水位センサー、  13 : 温度センサー、14 : ドレイン通路、15 : 水筒安着支持部、 16 : 水位レベル窓、  17 : ワンタッチカップリング、 18 : バイメタル、 19 : 本体水筒、20 : 電源コード、        21 :  トレンス、 22 : インペラー、              23 : ポンプ、 24 : 連結チューブ、26 : ポンピングチューブ、27 : センサー
【図１】
0003130271.tif 000003
【図２】
0003130271.tif 000004
【図３】
0003130271.tif 000005
【図４】
0003130271.tif 000006
【図５】
0003130271.tif 000007